(57)【要約】【課題】  デザイン性に優れた保護カバー及び表示装置を提供する。【解決手段】  表示器１０は、画像１０ａ，１０ｂ，１０ｃを表示する。保護カバー２０は、表示器１０の前側に配設される。護カバー２０は、透光性樹脂からなる基材２１と、基材２１に密着された装飾フィルム２２と、を有する。基材２１は、凸部２１ｂまたは凹部２１ｅを有する。装飾フィルム２２は、凸部２１ｂまたは凹部２１ｅに対応する箇所に着色部２２ｂを有する。保護カバー２０の装飾フィルム２２は、画像１０ａ，１０ｂ，１０ｃを視認するための透明部２２ａ，２２ｃを有する。【選択図】  図１
2017111312.tif 000002
【特許請求の範囲】
【請求項１】
透光性樹脂からなる基材と、前記基材に密着された装飾フィルムと、を備えた保護カバーであって、
前記基材は凸部または凹部を有すると共に、前記装飾フィルムは前記凸部または前記凹部に対応する箇所に着色部を有することを特徴とする保護カバー。
【請求項２】
画像を表示する表示器と、前記表示器の前側に配設された保護カバーと、を備えた表示装置であって、
前記保護カバーは、透光性樹脂からなる基材と、前記基材に密着された装飾フィルムと、を有し、
前記基材は凸部または凹部を有すると共に、前記装飾フィルムは前記凸部または前記凹部に対応する箇所に着色部を有することを特徴とする表示装置。
【請求項３】
前記保護カバーの前記装飾フィルムは、前記画像を視認するための透明部を有することを特徴とする請求項２に記載の表示装置。
【請求項４】
前記保護カバーの前記基材は、前記表示器に対向する基部と、前記基部に連なる周壁部と、を有することを特徴とする請求項２に記載の表示装置。
【請求項５】
前記保護カバーの前記装飾フィルムは、前記周壁部の少なくとも一部を覆うことを特徴とする請求項４に記載の表示装置。
【発明の詳細な説明】
【技術分野】
【０００１】
本発明は、表示器を保護するための保護カバー、及び、この保護カバーを備えた表示装置に関するものである。
【背景技術】
【０００２】
従来より、表示器を保護する保護カバーを備えた表示装置が種々提案されており、例えば特許文献１に開示されている。斯かる表示装置は、ハウジングに収容された液晶表示器の前側に保護カバーを配設したものである。保護カバーは、透光性樹脂からなるものであり、液晶表示器の画面は、保護カバーを通して視認される。
【先行技術文献】
【特許文献】
【０００３】
【特許文献１】特開２０１５−９９２８５号公報
【発明の概要】
【発明が解決しようとする課題】
【０００４】
しかしながら、上述した表示装置は、保護カバーに何ら装飾が施されていないため、必ずしもデザイン性に優れたものではないという問題を有していた。
本発明は、この問題に鑑みなされたものであり、デザイン性に優れた保護カバー及び表示装置を提供するものである。
【課題を解決するための手段】
【０００５】
本発明は、透光性樹脂からなる基材２１と、前記基材２１に密着された装飾フィルム２２と、を備えた保護カバー２０であって、前記基材２１は凸部２１ｂまたは凹部２１ｅを有すると共に、前記装飾フィルム２２は前記凸部２１ｂまたは前記凹部２１ｅに対応する箇所に着色部２２ｂを有するものである。
【０００６】
また、本発明は、画像１０ａ，１０ｂ，１０ｃを表示する表示器１０と、前記表示器１０の前側に配設された保護カバー２０と、を備えた表示装置であって、前記保護カバー２０は、透光性樹脂からなる基材２１と、前記基材２１に密着された装飾フィルム２２と、を有し、前記基材２１は凸部２１ｂまたは凹部２１ｅを有すると共に、前記装飾フィルム２２は前記凸部２１ｂまたは前記凹部２１ｅに対応する箇所に着色部２２ｂを有するものである。
【０００７】
また、本発明は、前記保護カバー２０の前記装飾フィルム２２は、前記画像１０ａ，１０ｂ，１０ｃを視認するための透明部２２ａ，２２ｃを有するものである。
【０００８】
また、本発明は、前記保護カバー２０の前記基材２１は、前記表示器１０に対向する基部２１ａと、前記基部２１ａに連なる周壁部２１ｃと、を有するものである。
【０００９】
また、本発明は、前記保護カバー２０の前記装飾フィルム２２は、前記周壁部２１ｃの少なくとも一部を覆うものである。
【発明の効果】
【００１０】
凸部または凹部に対応する箇所に、装飾フィルムの着色部を設けることにより、デザイン性に優れた保護カバー及び表示装置を提供できる。
【図面の簡単な説明】
【００１１】
【図１】本発明の実施形態を示す断面図。
【図２】同上実施形態を示す正面図。
【図３】同上実施形態を示す液晶表示器の正面図。
【図４】同上実施形態を示す要部拡大断面図。
【図５】同上実施形態を示す保護カバーの正面図
【図６】同上実施形態を示すブロック図。
【図７】本発明の他の実施形態を示す要部拡大断面図。
【発明を実施するための形態】
【００１２】
以下、添付図面に基づいて、本発明の一実施形態を説明する。図面が煩雑になることを防止するため、図１では装飾フィルム２２を省略している。車両用表示装置は、液晶表示器１０，保護カバー２０，ハウジング３０，回路基板４０を備えている。
【００１３】
液晶表示器１０は、液晶表示パネル１１及びバックライトモジュール１２をケース体１３に収納したものであり、略平板形状になっている。液晶表示パネル１１は、バックライトモジュール１２によって透過照明される。液晶表示パネル１１は、ＴＦＴ型フルカラーＬＣＤパネルからなるものであり、矩形の画面Ｓを有している。液晶表示パネル１１の画面Ｓには、多数の画素がマトリクス状に配置されている。バックライトモジュール１２は、液晶表示パネル１１の後側に配設されており、液晶表示パネル１１を後面から照明する。液晶表示器１０のケース体１３は、支持部１３ａを有しており、この支持部１３ａにて液晶表示器１０が回路基板４０の前面に固定されている。
【００１４】
液晶表示器１０の画面Ｓには、速度計画像１０ａ，回転計画像１０ｂ，ナビゲーション画像１０ｃ等の車両情報画像が表示される。速度計画像１０ａは、アナログ式速度計を模した画像であり、指針画像，目盛画像，数字画像を含む。回転計画像１０ｂは、アナログ式回転計を模した画像であり、指針画像，目盛画像，数字画像を含む。
【００１５】
保護カバー２０は、基材２１と、この基材２１に密着された装飾フィルム２２とからなるものであり、フィルムインサート成型またはフィルムインモールド成型と称される方法で形成されている。装飾フィルム２２は、基材２１の外側面の全体を覆っているが、基材２１の内側面には無い。保護カバー２０は、画面Ｓから離間して、液晶表示器１０の前側に配設されている。
【００１６】
保護カバー２０の基材２１は、アクリルやポリカーボネート等の透光性樹脂からなるものであり、液晶表示器１０に対向する基部２１ａと、この基部２１ａから前方に突出する凸部２１ｂと、基部２１ａに連なる周壁部２１ｃとを有している。基材２１の基部２１ａは、液晶表示器１０と平行な平板状になっている。基材２１の周壁部２１ｃは、液晶表示器１０に略垂直になっている。基材２１の凸部２１ｂは、断面が半円形になっており、正面視では円環状になっている。
【００１７】
保護カバー２０の装飾フィルム２２は、円環状の凸部２１ｂを覆う着色部２２ｂと、この着色部２２ｂの内方に設けられた透明部２２ａと、着色部２２ｂの外方に設けられた透明部２２ｃと、この透明部２２ｃの外方に設けられた遮光部２２ｄと、を有している。装飾フィルム２２の透明部２２ａは、速度計画像１０ａ，回転計画像１０ｂを視認するためのものであり、円形になっている。
【００１８】
装飾フィルム２２の着色部２２ｂは、凸部２１ｂに対応する箇所に設けられており、円環状になっている。着色部２２ｂは、例えば銀色または赤色になっており、不透明であっても良いし、半透明であっても良い。透明部２２ｃの外形線は、２個の円環状の着色部２２ｂを囲む角丸長方形になっており、透明部２２ｃの中央部からナビゲーション画像１０ｃが視認される。遮光部２２ｄは、不透明になっており、透明部２２ｃの外方や、周壁部２１ｃに設けられている。
【００１９】
ハウジング３０は、ＡＥＳ等の樹脂からなるものであり、底壁部３１及び周壁部３２を有している。ハウジング３０には、液晶表示器１０，回路基板４０，遮光部材５０が収納されている。ハウジング３０の底壁部３１には、前方に突出する突出部３１ａが形成されており、この突出部３１ａに回路基板４０が支持されている。ハウジング３０の周壁部３２の前面には保護カバー２０が固定されている。
【００２０】
回路基板４０は、ガラスエポキシ樹脂からなる基材に銅箔からなる配線パターンを形成したものであり、ハウジング３０に収納されている。回路基板４０は、図示しない可撓性配線板によって液晶表示器１０に接続されている。回路基板４０には後述するマイコン１００等が搭載されている。
【００２１】
図６は、車両用表示装置の電気的構成を示すブロック図である。マイコン１００は、ＣＰＵ１０１，ＲＯＭ１０２，ＲＡＭ１０３を有しており、液晶表示器１０の液晶表示パネル１１に速度計画像１０ａ，回転計画像１０ｂ，ナビゲーション画像１０ｃを表示させる。速度センサ１１０は、車両速度を検出し、マイコン１００に速度データを出力する。回転センサ１２０は、エンジンの回転数を検出し、マイコン１００に回転数データを出力する。マイコン１００は、ＲＯＭ１０２に格納されている所定のプログラムに基づいて、液晶表示器１０の液晶表示パネル１１及びバックライトモジュール１２を駆動する。
【００２２】
本実施形態は、基材２１の凸部２１ｂに対応する箇所に、装飾フィルム２０の着色部２２ｂを設けることにより、円環状の装飾部が形成されるため、デザイン性に優れた保護カバー２０及び車両用表示装置を提供できる。また、装飾フィルム２０に遮光部２２ｄを設けたことにより、液晶表示器１０の画面Ｓ以外の不要部分を見えなくすることができる。
【００２３】
なお、本発明は、上述した実施形態に限定されるものではなく、種々の変形が可能である。例えば、図７に示す他の実施形態のように、保護カバー２０の基材２１に、断面Ｖ字状の凹部２１ｅを形成し、この凹部２１ｅに対応する箇所に着色部２２ｂを設けても良い。また、基材２１に凸部及び凹部の両方を設けても良い。また、上述した実施形態は、液晶表示器１０を備えたものであったが、例えば、表示器は指針式計器であっても良い。また、基部２１ａは平板形状であったが、湾曲形状であっても良い。
【符号の説明】
【００２４】
１０    液晶表示器（表示器）
１０ａ  速度計画像（画像）
１０ｂ  回転計画像（画像）
１０ｃ  ナビゲーション用画像（画像）
２０    保護カバー
２１    基材
２１ａ  基部
２１ｂ  凸部
２１ｃ  周壁部
２１ｅ  凹部
２２    装飾フィルム
２２ａ  透明部
２２ｂ  着色部
２２ｃ  透明部
【図１】
2017111312.tif 000003
【図２】
2017111312.tif 000004
【図３】
2017111312.tif 000005
【図４】
2017111312.tif 000006
【図５】
2017111312.tif 000007
【図６】
2017111312.tif 000008
【図７】
2017111312.tif 000009